(57)【特許請求の範囲】
【請求項１】
バックアップパッドに研磨物品を取り付けるためのボタンであって：
本体を含み、前記本体が：
下板と；
前記下板から延在しているハブにおいて、前記ハブの高さに少なくとも部分的に沿って前記ハブの上に設置された研磨物品に係合して、前記研磨物品が前記ハブに対して回転するのを防止するように構成されており、中心部と前記中心部から外側に放射状に延在している複数のフィンとを含んでおり、ここで、前記フィンが、前記ハブに設置された前記少なくとも１つの研磨物品を少なくとも部分的に通って延在し、前記ハブに対して前記少なくとも１つの研磨物品が回転するのを防止するように構成されている、前記ハブと；
前記ハブから延在しているポストにおいて、前記ポストに沿って外側に延在している少なくとも１つのらせんねじを含み、かつ前記ポストの全高がＨＰであり、前記少なくとも１つのらせんねじはねじリードＬを含み、Ｌ≧０．５ＨＰである、前記ポストと
を含む、前記ボタン。
【請求項２】
研磨ツールのための支持体アセンブリであって：
中心穴の内壁から内側に延在している少なくとも１つの雌ねじを有する前記中心穴を含むバックアップパッドと；
本体を含むボタンにおいて、前記本体が：
下板と；
前記下板から延在しているハブにおいて、中心部と前記中心部から外側に放射状に延在している複数のフィンとを含んでおり、ここで、前記フィンが、前記ハブに設置された前記少なくとも１つの研磨物品を少なくとも部分的に通って延在し、前記ハブに対して前記少なくとも１つの研磨物品が回転するのを防止するように構成されていて、かつ前記ハブの高さがＨＨであり、前記研磨物品内の前記穴の高さがＨＢであり、ＨＨ≦０．９９ＨＢである、前記ハブと；
前記ハブから延在しているポストにおいて、前記ポストに沿って外側に延在している少なくとも１つのらせんねじを含み、かつ前記バックアップパッドにねじ式に係合するように構成されており、前記ボタンが、前記ポストが前記バックアップパッドと係合するとき前記下板と前記バックアップパッドとの間で前記研磨物品を圧縮するように構成されている、前記ポストと
を含む、前記ボタンと
を含む、前記支持体アセンブリ。
【請求項３】
研磨ツールであって：
中心穴の内壁から内側に延在している少なくとも１つの雌ねじを有する前記中心穴を含むバックアップパッドと；
中心穴を有して形成されている少なくとも１つの研磨物品と；
前記研磨物品を前記バックアップパッドに取り外し可能に取り付けるためのボタンにおいて、
本体を含み、前記本体が：
下板と；
前記下板から延在しているハブにおいて、中心部と前記中心部から外側に放射状に延在している複数のフィンとを含んでおり、ここで、前記フィンが、前記ハブに設置された前記少なくとも１つの研磨物品を少なくとも部分的に通って延在し、前記ハブに対して前記少なくとも１つの研磨物品が回転するのを防止するように構成されている、前記ハブと；
前記ハブから延在しているポストにおいて、前記ポストに沿って外側に延在している少なくとも１つのらせんねじを含み、かつ前記バックアップパッドにねじ式に係合するように構成されていて、ここで、前記ボタンが、前記ポストが前記バックアップパッドと係合するときに前記下板と前記ボタンとの間で前記研磨物品を圧縮するように構成されている、前記ポストと
を含む、前記ボタンと
を含む、前記研磨ツール。
【請求項４】
ＨＨ≦０．９８ＨＢである、請求項２に記載の支持体アセンブリ。
【請求項５】
ＨＨ≧０．８０ＨＢである、請求項４に記載の支持体アセンブリ。
【請求項６】
前記下板が、円盤形状であり、前記下板の外径がＯＬＰであり、前記研磨物品の外径がＯＡＡであり、ＯＬＰ≦５０％ＯＡＡである、請求項１、２、または３のいずれか一項に記載のボタン、支持体アセンブリ、または研磨ツール。
【請求項７】
ＯＬＰ≧１０％ＯＡＡである、請求項６に記載のボタン、支持体アセンブリ、または研磨ツール。
【請求項８】
前記ハブが、ねじり角度α≧５．０°で前記ハブの高さに沿って捻れている、請求項１、２、または３のいずれか一項に記載のボタン、支持体アセンブリ、または研磨ツール。
【請求項９】
前記下板が平坦である、請求項１、２、または３のいずれか一項に記載のボタン、支持体アセンブリ、または研磨ツール。
【請求項１０】
前記下板が、前記ハブに向かって前記下板から延在している一連の規則的に離間した起伏を含む、請求項１、２、または３のいずれか一項に記載のボタン、支持体アセンブリ、または研磨ツール。
【発明の詳細な説明】
【技術分野】
【０００１】
本開示は、研磨物品、およびバックアップパッドに研磨物品を取り付けるためのボタンを対象とする。
【背景技術】
【０００２】
研磨物品は、表面を平坦化し、表面を研磨し、表面から物体を取り除き、表面を洗浄することなどにかなり有用であり得る。あるタイプの研磨物品は、ホイールの形状で構成されている。かかる研磨ホイールは、使用の際、回転して、他の面の特性を改変するために該面と接触して置かれ得る可動面を研磨ホイールに作り出す。研磨ホイールを回転させるために、研磨ホイールは、典型的には、緊締されて研磨ホイールの一部と係合し得るツールホルダ、例えばチャックを介してモータの軸に機械的に連結されている。
【０００３】
研磨材産業における変化に対応して、研磨物品を接続するための新規の手段が望まれ得る。
【図面の簡単な説明】
【０００４】
実施形態は例として示されており、添付の図において限定されない。
【図１】図１は、特定の実施形態による研磨物品アセンブリの図を含む。
【図２】図２は、特定の実施形態による研磨物品アセンブリの部分分解図を含む。
【図３】図３は、特定の実施形態による研磨物品アセンブリの全分解図を含む。
【図４】図４は、特定の実施形態による、バックアップパッドに研磨物品を取り付けるためのボタンの図を含む。
【図５】図５は、別の特定の実施形態による、バックアップパッドに研磨物品を取り付けるためのボタンの平面図を含む。
【図６】図６は、さらに別の特定の実施形態による、バックアップパッドに研磨物品を取り付けるためのボタンの図を含む。
【図７】図７は、さらに別の特定の実施形態による、バックアップパッドに研磨物品を取り付けるためのボタンの平面図を含む。
【図８】図８は、特定の実施形態による、バックアップパッドに研磨物品を取り付けるためのボタンの下板の図を含む。
【図９】図９は、特定の実施形態による研磨物品の図を含む。
【図１０】図１０は、特定の実施形態による研磨物品の図を含む。
【発明を実施するための形態】
【０００５】
当業者は、図における要素が、簡素化および明確化のために示されていること、ならびに必ずしも縮尺通りに描かれていないことを認識している。例えば、図における要素のいくつかの寸法は、本発明の実施形態の理解の向上を助けるために、他の要素と比較して拡大されている可能性がある。異なる図における同じ参照符号の使用は、同様または同一の項目を示している。
【０００６】
本明細書に開示されている教示の理解を手助けするために以下の記載を図と併せて提供する。以下の議論において、教示の具体的な実行および実施形態に焦点を合わせることとする。この焦点は、教示の記載を手助けするために提供されるものであって、教示の範囲または利用可能性における限定として解釈されてはならない。
【０００７】
用語「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」、「有する（ｈａｓ）」、「有する（ｈａｖｉｎｇ）」、または任意の他の変形は、本明細書において用いられているとき、非排他的な包含に及ぶものと解釈される。例えば、特徴の列挙を含んでいるプロセス、方法、物品または装置は、かかる特徴のみに必ずしも限定されないが、明確に列挙されていない他の特徴、またはかかるプロセス、方法、物品もしくは装置に固有の他の特徴を含むことができる。さらに、反対であることが明確に記述されていない限り、「または」は、包括的な「または」を称し、排他的な「または」を称していない。例えば、条件ＡまたはＢは、以下のいずれか１つによって満足される：Ａが真（または存在）かつＢが偽（または非存在）である、Ａが偽（または非存在）かつＢが真（または存在）である、ならびにＡおよびＢの両方が真（または存在）である。
【０００８】
「１つの（ａ）」または「１つの（ａｎ）」の使用は、本明細書に記載されている要素および構成成分を記載するのに用いられる。これは、単に便宜上の目的でなされるものであり、本開示の実施形態の範囲の一般的な意味を付与するためのものである。この記載は、１つまたは少なくとも１つを含むとして読み取られるべきであり、別のことを意図することが明確でない限り、単数形は、複数形も含み、または、逆も同様である。別途定義されていない限り、本明細書において用いられている全ての技術的および科学的用語は、本開示が属する分野における熟練者によって一般に理解されているものと同じ意味を有する。材料、方法、および例は、例示目的のみであって、限定的であることを意図していない。
【０００９】
図１を初めに参照すると、研磨物品アセンブリが示されており、概して１００と表されている。図示のように、研磨物品アセンブリ１００は、バックアップパッド１０２と、バックアップパッド１０２に連結された研磨物品１０４とを含むことができる。バックアップパッド１０２は、近位端１１２および遠位端１１４を画定するハウジング１１０を含むことができる。ハウジング１１０は、近位端１１２からハウジング１１０内に延在するねじ穴（図示せず）を含むことができる。ねじ穴は、以下に詳細に記載されている、ボタンのねじポストを収容するサイズおよび形状にされ得る。
【００１０】
シャンク１１６は、ハウジング１１０の遠位端１１４から延在することができる。シャンク１１６は、ドリルチャック（図示せず）または何らかの他の回転ツール内に収容かつクランプされていてよい。こうして、ドリルチャックが回転するにつれ、シャンク１１６が回転し、研磨物品アセンブリ１００全体を回転させることができる。回転している研磨物品アセンブリ１００は、仕上げ面を横切って移動して、例えば、該面を研磨し、該面を平滑化し、該面を研磨し、該面を洗浄することができる。
【００１１】
図１は、研磨物品１０４が、上面１２０、下面１２２、および外周面１２４を含み得ることを示している。特定の態様において、研磨物品１０４は、不織布研磨物品１０４であり得る。
【００１２】
非限定的な例示的実施形態において、不織布研磨物品１０４は、支持体と、少なくとも１種の高分子結着剤と、研磨粒子とを含むことができる。一態様において、支持体は、１つ以上の不織布層を含むことができる。各不織布層は、複数のファイバを含むことができる。ファイバは、高分子結着剤、例えば、ラテックスから誘導されるものによって互いに接着されていてよい。ファイバとして、天然ファイバ、無機ファイバ、例えばグラスファイバ、合成ファイバ、例えばポリエステルファイバ、ポリアミドファイバ、もしくは他の好適な合成ファイバ、またはこれらの任意の組み合わせを挙げることができる。
【００１３】
研磨粒子は、少なくとも約８．０、例えば、少なくとも約８．５、さらに少なくとも約９．０のモース硬度を有することができる。特に、研磨粒子１０８は、超砥粒、例えば、ダイヤモンド、立方晶窒化ホウ素、炭化ホウ素、炭化ケイ素、またはこれらの任意の組み合わせを含むことができる。研磨粒子は、約１０μｍ〜約１０００μｍの間、例えば、約５０μｍ〜約５００μｍの間、特に、約１００μｍ〜約２００μｍの間のサイズを有することができる。
【００１４】
１種以上の高分子結着剤は、硬化性高分子結着剤を含むことができる。硬化性高分子結着剤は、ポリウレタン樹脂、フェノキシ樹脂、ポリエステル樹脂、またはこれらの任意の組み合わせを含むことができる。さらに、硬化性高分子結着剤は、ブロック化樹脂を含むことができる。高分子結着剤は、支持体をワークピースの形状に適合するのに十分な可撓性となるようにしながら研磨の間に一緒に支持体を保持するために、強くて可撓性の高分子結着剤であってよい。特定の実施形態において、高分子結着剤は、ファイバと研磨粒子との間に位置していてよい。
【００１５】
別の態様において、高分子結着剤は、別の高分子結着剤、例えば、フェノール樹脂、エポキシ樹脂、ホルムアルデヒド−尿素樹脂、またはこれらの任意の組み合わせを含むことができる。他の高分子結着剤として、十分に硬化することなく接着する結着剤を挙げることができ、この結着剤は、研磨粒子を支持体に接着させて、研磨物品のさらなる加工を可能にするのに用いられ得る。
【００１６】
一実施形態において、１種以上の高分子結着剤は、分散充填剤、溶媒、可塑化剤、連鎖移動剤、触媒、安定剤、分散剤、硬化剤、反応媒介剤、または分散液の流動性に影響する剤などの成分をさらに含むことができる結着剤製剤から形成されていてよい。上記構成成分に加えて、例えば、帯電防止剤、例えば、グラファイト、カーボンブラックなど；懸濁剤、例えば、溶融シリカ；抗負荷剤、例えば、ステアリン酸亜鉛、カルシウムまたはマグネシウムを含めたステアリン酸金属；潤滑剤、例えば、ワックス；湿潤剤；染料；充填剤；粘度調整剤；脱泡剤；またはこれらの任意の組み合わせを含めた他の成分を結着剤製剤に添加することもできる。
【００１７】
特定の一実施形態において、不織布研磨物品１０４は、開放構造を有することができる。具体的には、開放構造は、ファイバ間に位置する空洞を含むことができる。開放構造は、少なくとも約２５％の開放体積、例えば、少なくとも約４０％の開放体積、例えば、少なくとも約５５％の開放体積であってよい。付加的には、開放構造は、約９９％以下の開放体積、例えば、約９５％以下の開放体積、さらには約９０％以下の開放体積であってよい。
【００１８】
一実施形態において、不織布研磨物品１０４は、２５．４ｍｍの半球形プローブによって力を適用し、研磨物品を厚さ方向に沿って２５％圧縮させることによって測定したとき、２０ｋｇｆ／２５％圧縮〜９０ｋｇｆ／２５％圧縮、例えば、３０ｋｇｆ／２５％圧縮〜８０ｋｇｆ／２５％圧縮、さらには４０ｋｇｆ／２５％圧縮〜７０ｋｇｆ／２５％圧縮の硬度を有することができる。特定の実施形態において、硬度は５０〜６０ｋｇｆ／２５％圧縮であってよい。
【００１９】
図２および図３は、研磨物品１０４が、バックアップパッド１０２から取り除かれ得ることを示す。さらに、図２および図３は、研磨物品１０４が、研磨物品１０４を通って中心軸１２８に沿って延在する中心穴１２６を含み得ることを示す。研磨物品アセンブリ１００は、研磨物品１０４をバックアップパッド１０２に接続するのに用いられ得るボタン１３０を含むことができる。具体的には、ねじポストは、ボタン１３０から延在し、以下に詳細に記載されているが、バックアップパッド１０２のハウジング１１０に形成されたねじ穴（図示せず）に嵌合および係合することができる。
【００２０】
図４は、ボタン１３０の詳細を示す。図示のように、ボタン１３０の実施形態は、下板１３２を含むことができる。下板１３２は、略平坦かつ円盤形状であってよい。下板１３２は、外径ＯＬＰを含むことができる。研磨物品１０４は、外径ＯＡＡを含むことができる。ＯＬＰは、≦５０％ＯＡＡ、例えば、≦４５％ＯＡＡ、≦４０％ＯＡＡ、≦３５％ＯＡＡ、または≦３０％ＯＡＡであってよい。さらに、ＯＬＰは、≧１０％ＯＡＡ、例えば、≧１５％ＯＡＡ、≧２０％ＯＡＡ、または≧２５％ＯＡＡであってよい。ＯＬＰは、ＯＡＡに対して上記した任意の百分率の間かつこれらを含む範囲内であってよいことが認識されよう。
【００２１】
例えば、ＯＬＰは、≦５０％ＯＡＡおよび≧１０％ＯＡＡ、例えば、≦５０％ＯＡＡおよび≧１５％ＯＡＡ、≦５０％ＯＡＡおよび≧２０％ＯＡＡ、または≦５０％ＯＡＡおよび≧２５％ＯＡＡであってよい。別の態様において、ＯＬＰは、≦４５％ＯＡＡおよび≧１０％ＯＡＡ、例えば、≦４５％ＯＡＡおよび≧１５％ＯＡＡ、≦４５％ＯＡＡおよび≧２０％ＯＡＡ、または≦４５％ＯＡＡおよび≧２５％ＯＡＡであってよい。ＯＬＰは、≦４０％ＯＡＡおよび≧１０％ＯＡＡ、例えば、≦４０％ＯＡＡおよび≧１５％ＯＡＡ、≦４０％ＯＡＡおよび≧２０％ＯＡＡ、または≦４０％ＯＡＡおよび≧２５％ＯＡＡであってよい。ＯＬＰは、≦３５％ＯＡＡおよび≧１０％ＯＡＡ、例えば、≦３５％ＯＡＡおよび≧１５％ＯＡＡ、≦３５％ＯＡＡおよび≧２０％ＯＡＡ、または≦３５％ＯＡＡおよび≧２５％ＯＡＡであってよい。ＯＬＰは、≦３０％ＯＡＡおよび≧１０％ＯＡＡ、例えば、≦３０％ＯＡＡおよび≧１５％ＯＡＡ、≦３０％ＯＡＡおよび≧２０％ＯＡＡ、または≦３０％ＯＡＡおよび≧２５％ＯＡＡであってよい。
【００２２】
ハブ１３４は、下板１３２から延在していてよい。ハブ１３４は、近位端１３６および遠位端１３８を含むことができる。一態様において、ハブ１３４は、研磨物品１０４が、ハブ１３４が同様のサイズかつ形状に作られた研磨物品１０４の中心穴１２６に嵌合するようにハブ１３４上に設置されているとき、研磨物品１０４に嵌合かつ係合するように構成されている。ハブ１３４は、研磨物品１０４に係合して研磨物品１０４がハブ１３４に対して回転するのを防止するために、ハブ１２４の高さに少なくとも部分的に沿って、研磨物品１０４に、例えば、中心穴１２６の内壁に係合するように構成されている。
【００２３】
ハブ１３４がバックアップパッド１０２から係脱されて研磨物品１０４から取り除かれるとき、ハブ１３４は、高さＨＨを含むことができ、研磨物品１０４内の穴１２６は、高さＨＢを含むことができる。特定の態様において、ＨＨ≦０．９９ＨＢである。また、ＨＨ≦０．９８ＨＢ、例えば、≦０．９７ＨＢ、≦０．９６ＨＢ、≦０．９５ＨＢ、≦０．９４ＨＢ、≦０．９３ＨＢ、≦０．９２ＨＢ、≦０．９１ＨＢ、または≦０．９０ＨＢである。別の態様において、ＨＨ≧０．８０ＨＢ、例えば、≧０．８１ＨＢ、≧０．８２ＨＢ、≧０．８３ＨＢ、≧０．８４ＨＢ、または≧０．８５ＨＢである。ＨＨは、本明細書に記載の任意のＨＨ値の間かつこれらを含む範囲内であってよい。
【００２４】
例えば、ＨＨは、≦０．９９ＨＢおよび≧０．８０ＨＢ、例えば、≦０．９９ＨＢおよび≧０．８１ＨＢ、≦０．９９ＨＢおよび≧０．８２ＨＢ、≦０．９９ＨＢおよび≧０．８３ＨＢ、≦０．９９ＨＢおよび≧０．８４ＨＢ、または≦０．９９ＨＢおよび≧０．８５ＨＢであってよい。ＨＨは、≦０．９８ＨＢおよび≧０．８０ＨＢ、例えば、≦０．９８ＨＢおよび≧０．８１ＨＢ、≦０．９８ＨＢおよび≧０．８２ＨＢ、≦０．９８ＨＢおよび≧０．８３ＨＢ、≦０．９８ＨＢおよび≧０．８４ＨＢ、または≦０．９８ＨＢおよび≧０．８５ＨＢであってよい。
【００２５】
別の態様において、ＨＨは、≦０．９７ＨＢおよび≧０．８０ＨＢ、例えば、≦０．９７ＨＢおよび≧０．８１ＨＢ、≦０．９７ＨＢおよび≧０．８２ＨＢ、≦０．９７ＨＢおよび≧０．８３ＨＢ、≦０．９７ＨＢおよび≧０．８４ＨＢ、または≦０．９７ＨＢおよび≧０．８５ＨＢであってよい。ＨＨは、≦０．９６ＨＢおよび≧０．８０ＨＢ、例えば、≦０．９６ＨＢおよび≧０．８１ＨＢ、≦０．９６ＨＢおよび≧０．８２ＨＢ、≦０．９６ＨＢおよび≧０．８３ＨＢ、≦０．９６ＨＢおよび≧０．８４ＨＢ、または≦０．９６ＨＢおよび≧０．８５ＨＢであってよい。ＨＨは、≦０．９５ＨＢおよび≧０．８０ＨＢ、例えば、≦０．９５ＨＢおよび≧０．８１ＨＢ、≦０．９５ＨＢおよび≧０．８２ＨＢ、≦０．９５ＨＢおよび≧０．８３ＨＢ、≦０．９５ＨＢおよび≧０．８４ＨＢ、または≦０．９５ＨＢおよび≧０．８５ＨＢであってよい。ＨＨは、≦０．９４ＨＢおよび≧０．８０ＨＢ、例えば、≦０．９４ＨＢおよび≧０．８１ＨＢ、≦０．９４ＨＢおよび≧０．８２ＨＢ、≦０．９４ＨＢおよび≧０．８３ＨＢ、≦０．９４ＨＢおよび≧０．８４ＨＢ、または≦０．９４ＨＢおよび≧０．８５ＨＢであってよい。
【００２６】
ＨＨは、≦０．９３ＨＢおよび≧０．８０ＨＢ、例えば、≦０．９３ＨＢおよび≧０．８１ＨＢ、≦０．９３ＨＢおよび≧０．８２ＨＢ、≦０．９３ＨＢおよび≧０．８３ＨＢ、≦０．９３ＨＢおよび≧０．８４ＨＢ、または≦０．９３ＨＢおよび≧０．８５ＨＢであってもよい。ＨＨは、≦０．９２ＨＢおよび≧０．８０ＨＢ、例えば、≦０．９２ＨＢおよび≧０．８１ＨＢ、≦０．９２ＨＢおよび≧０．８２ＨＢ、≦０．９２ＨＢおよび≧０．８３ＨＢ、≦０．９２ＨＢおよび≧０．８４ＨＢ、または≦０．９２ＨＢおよび≧０．８５ＨＢであってよい。ＨＨは、≦０．９１ＨＢおよび≧０．８０ＨＢ、例えば、≦０．９１ＨＢおよび≧０．８１ＨＢ、≦０．９１ＨＢおよび≧０．８２ＨＢ、≦０．９１ＨＢおよび≧０．８３ＨＢ、≦０．９１ＨＢおよび≧０．８４ＨＢ、または≦０．９１ＨＢおよび≧０．８５ＨＢであってよい。ＨＨは、≦０．９０ＨＢおよび≧０．８０ＨＢ、例えば、≦０．９０ＨＢおよび≧０．８１ＨＢ、≦０．９０ＨＢおよび≧０．８２ＨＢ、≦０．９０ＨＢおよび≧０．８３ＨＢ、≦０．９０ＨＢおよび≧０．８４ＨＢ、または≦０．９０ＨＢおよび≧０．８５ＨＢであってよい。
【００２７】
ＨＨは、ボタン１３０が研磨物品１０４を通って設置されてバックアップパッド１０２内に係合される前にＨＢ未満であってよいため、ボタン１３０がバックアップパッド１０２と係合されて、研磨物品１０４が下板１３２とバックアップパッド１０２の近位端１１２との間に捕捉されるとき、研磨物品１０４は、係合されるときの穴の高さＨＢＥがＨＨと等しくなるように、ボタン１３０の下板１３２とバックアップパッド１０２の近位端１１２との間で圧縮されてよい。
【００２８】
特定の態様において、ボタン１３０は、研磨物品において圧縮力ＣＦを適用するように構成されてよく、ここで、ＣＦは、≧５ｌｂｓ、例えば、≧６ｌｂｓ、≧７ｌｂｓ、≧８ｌｂｓ、≧９ｌｂｓ、または≧１０ｌｂｓであってよい。さらに、ＣＦは、≦５０ｌｂｓ、例えば、≦４０ｌｂｓ、≦３０ｌｂｓ、≦２０ｌｂｓ、または≦１５ｌｂｓであってよい。また、ＣＦは、本明細書に記載の任意のＣＦ値の間かつこれらを含む範囲内であってよい。
【００２９】
例えば、ＣＦは、≧５ｌｂｓおよび≦５０ｌｂｓ、例えば、≧５ｌｂｓおよび≦４０ｌｂｓ、≧５ｌｂｓおよび≦３０ｌｂｓ、≧５ｌｂｓおよび≦２０ｌｂｓ、または≧５ｌｂｓおよび≦１５ｌｂｓであってよい。ＣＦは、≧６ｌｂｓおよび≦５０ｌｂｓ、例えば、≧６ｌｂｓおよび≦４０ｌｂｓ、≧６ｌｂｓおよび≦３０ｌｂｓ、≧６ｌｂｓおよび≦２０ｌｂｓ、または≧６ｌｂｓおよび≦１５ｌｂｓであってもよい。ＣＦは、≧７ｌｂｓおよび≦５０ｌｂｓ、例えば、≧７ｌｂｓおよび≦４０ｌｂｓ、≧７ｌｂｓおよび≦３０ｌｂｓ、≧７ｌｂｓおよび≦２０ｌｂｓ、または≧７ｌｂｓおよび≦１５ｌｂｓであってよい。ＣＦは、≧８ｌｂｓおよび≦５０ｌｂｓ、例えば、≧８ｌｂｓおよび≦４０ｌｂｓ、≧８ｌｂｓおよび≦３０ｌｂｓ、≧８ｌｂｓおよび≦２０ｌｂｓ、または≧８ｌｂｓおよび≦１５ｌｂｓであってよい。ＣＦは、≧９ｌｂｓおよび≦５０ｌｂｓ、例えば、≧９ｌｂｓおよび≦４０ｌｂｓ、≧９ｌｂｓおよび≦３０ｌｂｓ、≧９ｌｂｓおよび≦２０ｌｂｓ、または≧９ｌｂｓおよび≦１５ｌｂｓであってよい。ＣＦは、≧１０ｌｂｓおよび≦５０ｌｂｓ、例えば、≧１０ｌｂｓおよび≦４０ｌｂｓ、≧１０ｌｂｓおよび≦３０ｌｂｓ、≧１０ｌｂｓおよび≦２０ｌｂｓ、または≧１０ｌｂｓおよび≦１５ｌｂｓであってよい。
【００３０】
ハブ１３４は、少なくとも３つの頂点を有する凸多角形を含む、中心軸１２８に垂直の断面形状または端部形状を有することができる。例えば、ハブの断面形状は：三角形、四角形、五角形、および六角形を含む形状の群から選択され得る。別の態様において、ハブ１３４は、少なくとも６つの頂点を有する凹多角形を含む、中心軸１２８に垂直の断面形状または端部形状を有することができる。この態様において、ハブ１３４の断面形状は：凹六角形、凹八角形、凹十角形、および凹十二角形を含む形状の群から選択され得る。さらに別の態様において、ハブ１３４は、少なくとも１０個の頂点を有する星型正多角形を含む、中心軸１２８に垂直の断面形状または端部形状を有することができる。少なくとも１０個の頂点は：１０、１４、１８、２２、および２６頂点を含む群から選択され得る。
【００３１】
別の態様において、ハブ１３４の遠位端１３８は、表面積ＡＨＤＥを含み、研磨物品１０４の上面１２０は、表面積ＡＵＳＡを含むこともできる。この態様において、ＡＨＤＥは、≦１０．０％ＡＵＳＡ、例えば、≦７．５％ＡＵＳＡ、≦５．０％ＡＵＳＡ、≦４．０％ＡＵＳＡ、または≦３．０％ＡＵＳＡであってよい。さらに、ＡＨＤＥは、≧０．５％ＡＵＳＡ、例えば、≧０．７５％ＡＵＳＡ、≧１．０％ＡＵＳＡ、≧１．２５％ＡＵＳＡ、≧１．５％ＡＵＳＡ、≧１．７５％ＡＵＳＡ、≧２．０％ＡＵＳＡ、または≧２．５％ＡＵＳＡであってよい。ＡＨＤＥは、本明細書に記載の任意のＡＨＤＥ値の間かつこれらを含む範囲内であってよい。
【００３２】
例えば、ＡＨＤＥは、≦１０．０％ＡＵＳＡおよび≧０．５％ＡＵＳＡ、例えば、≦１０．０％ＡＵＳＡおよび≧０．７５％ＡＵＳＡ、≦１０．０％ＡＵＳＡおよび≧１．０％ＡＵＳＡ、≦１０．０％ＡＵＳＡおよび≧１．５％ＡＵＳＡ、≦１０．０％ＡＵＳＡおよび≧２．０％ＡＵＳＡ、または≦１０．０％ＡＵＳＡおよび≧２．５％ＡＵＳＡであってよい。ＡＨＤＥは、≦７．５％ＡＵＳＡおよび≧０．５％ＡＵＳＡ、例えば、≦７．５％ＡＵＳＡおよび≧０．７５％ＡＵＳＡ、≦７．５％ＡＵＳＡおよび≧１．０％ＡＵＳＡ、≦７．５％ＡＵＳＡおよび≧１．５％ＡＵＳＡ、≦７．５％ＡＵＳＡおよび≧２．０％ＡＵＳＡ、または≦７．５％ＡＵＳＡおよび≧２．５％ＡＵＳＡであってよい。ＡＨＤＥは、≦５．０％ＡＵＳＡおよび≧０．５％ＡＵＳＡ、例えば、≦５．０％ＡＵＳＡおよび≧０．７５％ＡＵＳＡ、≦５．０％ＡＵＳＡおよび≧１．０％ＡＵＳＡ、≦５．０％ＡＵＳＡおよび≧１．５％ＡＵＳＡ、≦５．０％ＡＵＳＡおよび≧２．０％ＡＵＳＡ、または≦５．０％ＡＵＳＡおよび≧２．５％ＡＵＳＡであってよい。ＡＨＤＥは、≦４．０％ＡＵＳＡおよび≧０．５％ＡＵＳＡ、例えば、≦４．０％ＡＵＳＡおよび≧０．７５％ＡＵＳＡ、≦４．０％ＡＵＳＡおよび≧１．０％ＡＵＳＡ、≦４．０％ＡＵＳＡおよび≧１．５％ＡＵＳＡ、≦４．０％ＡＵＳＡおよび≧２．０％ＡＵＳＡ、または≦４．０％ＡＵＳＡおよび≧２．５％ＡＵＳＡであってよい。また、ＡＨＤＥは、≦３．０％ＡＵＳＡおよび≧０．５％ＡＵＳＡ、例えば、≦３．０％ＡＵＳＡおよび≧０．７５％ＡＵＳＡ、≦３．０％ＡＵＳＡおよび≧１．０％ＡＵＳＡ、≦３．０％ＡＵＳＡおよび≧１．５％ＡＵＳＡ、≦３．０％ＡＵＳＡおよび≧２．０％ＡＵＳＡ、または≦３．０％ＡＵＳＡおよび≧２．５％ＡＵＳＡであってよい。
【００３３】
図４にさらに示すように、ボタン１３０は、中心軸１２８に長手方向に沿ってハブ１３４から延在していてよいバックアップパッド係合ポスト１５０を含むこともできる。係合ポスト１５０は、高さＨＰを含むことができる。さらに、係合ポスト１５０は、近位端１５２および遠位端１５４を含むことができ、少なくとも１つのらせんねじ１５６は、係合ポスト１５０の近位端１５２から係合ポスト１５０の遠位端１５４にＨＰに沿って外側に延在することができる。らせんねじ１５６は、ねじリードＬを含むことができる。特定の態様において、Ｌは、≧０．５０ＨＰであってよい。Ｌは、≧０．５７ＨＰ、例えば、≧０．６６ＨＰ、または≧０．８０ＨＰであってよい。別の態様において、Ｌは、≦４．００ＨＰ、例えば、≦２．００ＨＰ、≦１．３３ＨＰ、または≦１．００ＨＰであってよい。ねじリードＬは、ポスト１５０の完全な１回転によって覆われる、係合ポスト１５０の長手軸に沿った直線距離を定義することが認識され得る。
【００３４】
そのため、Ｌ＝０．５０ＨＰであると、ポスト１５０をバックアップパッド１０２と完全に係合させるのに、係合ポスト１５０を２回転させることを要する。Ｌ＝０．５７ＨＰは、１．７５回転に相当する。Ｌ＝０．６６ＨＰは、１．５回転に相当する。Ｌ＝０．８０ＨＰは、１．２５回転に相当する。Ｌ＝４．００ＨＰは、０．２５回転に相当する。Ｌ＝２．００ＨＰは、０．５０回転に相当する。Ｌ＝１．３３ＨＰは、０．７５回転に相当する。Ｌ＝１．００ＨＰは、１．００回転に相当する。
【００３５】
Ｌは、上記の任意のＬ値の間かつこれらを含む範囲内であってもよい。例えば、Ｌは、≧０．５０ＨＰおよび≦４．００ＨＰ、例えば、≧０．５０ＨＰおよび≦２．００ＨＰ、≧０．５０ＨＰおよび≦１．３３ＨＰ、または≧０．５０ＨＰおよび≦１．００ＨＰであってよい。Ｌは、≧０．５７ＨＰおよび≦４．００ＨＰ、例えば、≧０．５７ＨＰおよび≦２．００ＨＰ、≧０．５７ＨＰおよび≦１．３３ＨＰ、または≧０．５７ＨＰおよび≦１．００ＨＰであってよい。Ｌは、≧０．６６ＨＰおよび≦４．００ＨＰ、例えば、≧０．６６ＨＰおよび≦２．００ＨＰ、≧０．６６ＨＰおよび≦１．３３ＨＰ、または≧０．６６ＨＰおよび≦１．００ＨＰであってよい。Ｌは、≧０．８０ＨＰおよび≦４．００ＨＰ、例えば、≧０．８０ＨＰおよび≦２．００ＨＰ、≧０．８０ＨＰおよび≦１．３３ＨＰ、または≧０．８０ＨＰおよび≦１．００ＨＰであってもよい。
【００３６】
別の態様において、Ｌは、≧０．５０ＨＰおよび≦０．８０ＨＰ、例えば、≧０．５０ＨＰおよび≦０．６６ＨＰ、または≧０．５ＨＰおよび≦０．５７ＨＰであってよい。さらに別の態様において、Ｌは、≦４．００ＨＰおよび≧１．００ＨＰ、例えば、≦４．００ＨＰおよび≧１．３３ＨＰ、または≦４．００ＨＰおよび≧２．００ＨＰであってよい。
【００３７】
図４は、ボタン１３０が、係合ポスト１５０の遠位端１５４から延在しているガイドポスト１６０を含み得ることも示す。ガイドポスト１６０は、アセンブリの際、バックアップパッド１０２へのボタン１３０の挿入を容易にすることができる。
【００３８】
図５は、研磨物品をバックアップパッドに係合するのに用いられ得るボタン５００の別の態様を示す。この態様において、ボタン５００は、略円盤形状の下板５０２を有する本体を含むことができる。ツイストハブ５０４は、円盤形状の下板５０２から延在していてよい。ツイストハブ５０４は、近位端５０６および遠位端５０８を含むことができる。ねじ式係合ポスト５１０は、ハブ５０４の遠位端から延在していてよい。また、ガイドポスト５１２は、係合ポスト５１０から延在していてよい。
【００３９】
この態様において、ツイストハブ５０４は、ハブ５０４の遠位端５０６がハブの近位端５０６に対して角度αで回転するように、ハブ５０４の高さに沿って捻れている。特定の態様において、αは、≧５．０°、例えば、≧６．０°、≧７．０°、≧８．０°、≧９．０°、または≧１０．０°であってよい。さらに、αは、≦３０°、例えば、≦２５°、≦２０°、≦１５°、または≦１２．５°であってよい。別の態様において、αは、本明細書に記載の任意のα値の間かつこれらを含む範囲内であってよい。
【００４０】
例えば、αは、≧５．０°および≦３０°、例えば、≧５．０°および≦２５°、≧５．０°および≦２０°、≧５．０°および≦１５°、または≧５．０°および≦１２．５°であってよい。αは、≧６．０°および≦３０°、例えば、≧６．０°および≦２５°、≧６．０°および≦２０°、≧６．０°および≦１５°、または≧６．０°および≦１２．５°であってよい。αは、≧７．０°および≦３０°、例えば、≧７．０°および≦２５°、≧７．０°および≦２０°、≧７．０°および≦１５°、または≧７．０°および≦１２．５°であってよい。αは、≧８．０°および≦３０°、例えば、≧８．０°および≦２５°、≧８．０°および≦２０°、≧８．０°および≦１５°、または≧８．０°および≦１２．５°であってよい。αは、≧９．０°および≦３０°、例えば、≧９．０°および≦２５°、≧９．０°および≦２０°、≧９．０°および≦１５°、または≧９．０°および≦１２．５°であってよい。また、αは、≧１０．０°および≦３０°、例えば、≧１０．０°および≦２５°、≧１０．０°および≦２０°、≧１０．０°および≦１５°、または≧１０．０°および≦１２．５°であってよい。
【００４１】
したがって、ハブ５０４は、研磨物品をハブ５０４に対して角度Ａで回転させ、下板５０２に向かって線形状に移動させるために、使用の際、ハブ５０４に設置された研磨物品に力、例えば、ねじれまたは回転力を付与するように構成されている。複数の研磨物品がハブ５０４上に設置されて同様または異なる研磨物品の積層を作り出すことができることが認識され得る。研磨物品のねじれ、およびこれに関連したライナーの移動により、研磨物品を下板に対して緊締させることができる。
【００４２】
特定の態様において、回転角Ａは、≦５°、例えば、≦４°、≦３°、≦２°、または≦１°であってよい。さらに、Ａは、≧０．１°、例えば、≧０．２５°、≧０．５°、または≧０．７５°であってよい。Ａは、本明細書に記載の任意のＡ値の間かつこれらを含む範囲内であってもよい。
【００４３】
例えば、Ａは、≦５°および≧０．１°、例えば、≦５°および≧０．２５°、≦５°および≧０．５°、または≦５°および≧０．７５°。Ａは、≦４°および≧０．１°、例えば、≦４°および≧０．２５°、≦４°および≧０．５°、または≦４°および≧０．７５°であってよい。Ａは、≦３°および≧０．１°、例えば、≦３°および≧０．２５°、≦３°および≧０．５°、または≦３°および≧０．７５°であってよい。Ａは、≦２°および≧０．１°、例えば、≦２°および≧０．２５°、≦２°および≧０．５°、または≦２°および≧０．７５°であってよい。Ａは、≦１°および≧０．１°、例えば、≦１°および≧０．２５°、≦１°および≧０．５°、または≦１°および≧０．７５°であってよい。
【００４４】
特定の態様において、ボタン５０４は、全高ＨＢＡを含むことができ、Ｄは、≧０．２５％ＨＢＡ、例えば、≧０．５％ＨＢＡ、０．７５％ＨＢＡ、または１．０％ＨＢＡであってよい。さらに、Ｄは、≦５．０％ＨＢＡ、例えば、≦４．５％ＨＢＡ、≦４．０％ＨＢＡ、≦３．５％ＨＢＡ、≦３．０％ＨＢＡ、≦２．５％ＨＢＡ、または≦２．０％ＨＢＡであってよい。Ｄは、本明細書に記載の任意のＤ値の間かつこれらを含む範囲内であってもよい。
【００４５】
例えば、Ｄは、≧０．２５％ＨＢＡおよび≦５．０％ＨＢＡ、例えば、≧０．２５％ＨＢＡおよび≦４．５％ＨＢＡ、≧０．２５％ＨＢＡおよび≦４．０％ＨＢＡ、≧０．２５％ＨＢＡおよび≦３．５％ＨＢＡ、≧０．２５％ＨＢＡおよび≦３．０％ＨＢＡ、≧０．２５％ＨＢＡおよび≦２．５％ＨＢＡ、または≧０．２５％ＨＢＡおよび≦２．０％ＨＢＡであってよい。Ｄは、≧０．５％ＨＢＡおよび≦５．０％ＨＢＡ、例えば、≧０．５％ＨＢＡおよび≦４．５％ＨＢＡ、≧０．５％ＨＢＡおよび≦４．０％ＨＢＡ、≧０．５％ＨＢＡおよび≦３．５％ＨＢＡ、≧０．５％ＨＢＡおよび≦３．０％ＨＢＡ、≧０．５％ＨＢＡおよび≦２．５％ＨＢＡ、または≧０．５％ＨＢＡおよび≦２．０％ＨＢＡであってよい。Ｄは、≧０．７５％ＨＢＡおよび≦５．０％ＨＢＡ、例えば、≧０．７５％ＨＢＡおよび≦４．５％ＨＢＡ、≧０．７５％ＨＢＡおよび≦４．０％ＨＢＡ、≧０．７５％ＨＢＡおよび≦３．５％ＨＢＡ、≧０．７５％ＨＢＡおよび≦３．０％ＨＢＡ、≧０．７５％ＨＢＡおよび≦２．５％ＨＢＡ、または≧０．７５％ＨＢＡおよび≦２．０％ＨＢＡであってよい。Ｄは、≧１．０％ＨＢＡおよび≦５．０％ＨＢＡ、例えば、≧１．０％ＨＢＡおよび≦４．５％ＨＢＡ、≧１．０％ＨＢＡおよび≦４．０％ＨＢＡ、≧１．０％ＨＢＡおよび≦３．５％ＨＢＡ、≧１．０％ＨＢＡおよび≦３．０％ＨＢＡ、≧１．０％ＨＢＡおよび≦２．５％ＨＢＡ、または≧１．０％ＨＢＡおよび≦２．０％ＨＢＡであってよい。
【００４６】
ここで図６を参照すると、バックアップパッドに研磨物品を取り付けるためのボタンの別の態様が示されており、概して６００と表されている。図６に示されているように、ボタン６００は、本体６０２を含むことができる。本体６０２は、下板６０４を含むことができる。ハブ６１０は、下板６０４から延在することができる。ハブ６１０は、中心部６１２を含むことができ、複数のフィン６１４は、ハブ６１０の中心部６１２から外側に放射状に延在することができる。各フィン６１４は、近位端６１６および遠位端６１８を含むことができる。各フィン６１４の近位端６１６は、下板６０４から延在し、これに取り付けられ得る（またはこれと一体的に形成され得る）。この態様において、フィン６１４は、ハブ６１０に設置された研磨物品を少なくとも部分的に通して延在して、研磨物品がハブ６１０に対して回転することを防止するように構成されている。各フィン６１４は、下板６０４と一体的に形成されているか、またはこれに堅く接続されており、下板６０４が回転するにつれてこれと共に研磨物品が回転するように、下板からのトルクをフィン６１４上に設置されている研磨物品に直接伝達することができる。以下に記載のように、研磨物品は、研磨物品の中心またはその付近において開口部を有して形成されていてよく、該開口部は、ハブ６１０上に嵌合されるようなサイズおよび形状にされていてよい。
【００４７】
図６は、係合ポスト６２０が、ハブ６１０から、例えば、ハブ６１０の遠位端６１８およびフィン６１４から延在していてよいことをさらに示す。係合ポスト６２０は、近位端６２２および遠位端６２４を含むことができる。係合ポスト６２０は、近位端６２２および遠位端６２４からポスト６２０の高さに沿って延在していてよい少なくとも１つのらせんねじ６２６を含むこともできる。図示のように、ガイドポスト６３０は、係合ポスト６２０の遠位端６２４から延在していてよい。
【００４８】
図６は、各フィン６１４が、各フィン６１４の遠位端６１８から延在している少なくとも１つのポスト６３２を含み得ることも示している。ボタン６００は、ガイドポスト６３０および係合ポスト６２０上に嵌合するように構成されている中心穴６４２を有して形成されている上板６４０を含むこともできる。上板６４０は、複数の側穴（図示せず）を含むこともでき、側穴は、各フィン６１４における関係するポスト６３２と並ぶように構成されていてよい。上板６４０は、各側穴が、それぞれのポスト６３２を例えばスナップ式に収容および係合するように、ポスト６３２上に設置されるよう構成されている。さらに、上板６４０は、研磨物品とバックアップパッドとの間に設置されるように構成されている。上板６４０は、係合ポスト６２０がバックアップパッドとねじ式に係合しているとき、下板６０４に対して研磨物品を圧縮するように構成されている。
【００４９】
特定の態様において、ハブ６１０は、少なくとも３つのフィン、少なくとも４つのフィン、少なくとも５つのフィン、少なくとも６つのフィン、少なくとも７つのフィン、または少なくとも８つのフィンを含むことができる。さらに、図７において最もよく示されているように、各フィン６１４は、フィンの遠位端６１８がフィンの近位端６１６に対して角度βで回転するようにフィン６１４の高さに沿って捻れていてよく、βは、≧５．０°、例えば、≧６．０°、≧７．０°、≧８．０°、≧９．０°、または≧１０．０°であってよい。さらに、βは、≦３０°、例えば、≦２５°、≦２０°、≦１５°、または≦１２．５°であってよい。別の態様において、βは、本明細書に記載の任意のα値の間かつこれらを含む範囲内であってよい。
【００５０】
例えば、βは、≧５．０°および≦３０°、例えば、≧５．０°および≦２５°、≧５．０°および≦２０°、≧５．０°および≦１５°、または≧５．０°および≦１２．５°であってよい。βは、≧６．０°および≦３０°、例えば、≧６．０°および≦２５°、≧６．０°および≦２０°、≧６．０°および≦１５°、または≧６．０°および≦１２．５°であってよい。βは、≧７．０°および≦３０°、例えば、≧７．０°および≦２５°、≧７．０°および≦２０°、≧７．０°および≦１５°、または≧７．０°および≦１２．５°であってよい。βは、≧８．０°および≦３０°、例えば、≧８．０°および≦２５°、≧８．０°および≦２０°、≧８．０°および≦１５°、または≧８．０°および≦１２．５°であってよい。βは、≧９．０°および≦３０°、例えば、≧９．０°および≦２５°、≧９．０°および≦２０°、≧９．０°および≦１５°、または≧９．０°および≦１２．５°であってよい。また、βは、≧１０．０°および≦３０°、例えば、≧１０．０°および≦２５°、≧１０．０°および≦２０°、≧１０．０°および≦１５°、または≧１０．０°および≦１２．５°であってよい。
【００５１】
図８は、本明細書に記載の任意のボタンと共に用いられ得る、８００と表されている下板の特定の態様を示す。図８に示すように、下板８００は、ハブ（図示せず）が下板８００から延在するのと同じ方向にまたはハブ（図示せず）に向かって下板８００から延在している一連の規則的に離間した起伏８０２を含むことができる。各起伏８０２は、ピーク８０４およびベース８０６を有するアーチ形状を含むことができる。各アーチのピーク８０４は、各アーチのベース８０６から距離ＤＰで離間していてよい。
【００５２】
全高ＨＢＡを含むボタンの部分として用いられるとき、ＤＰは、≧０．２５％ＨＢＡ、例えば、≧０．５％ＨＢＡ、０．７５％ＨＢＡ、または１．０％ＨＢＡであってよい。さらに、ＤＰは、≦５．０％ＨＢＡ、例えば、≦４．５％ＨＢＡ、≦４．０％ＨＢＡ、≦３．５％ＨＢＡ、≦３．０％ＨＢＡ、≦２．５％ＨＢＡ、または≦２．０％ＨＢＡであってよい。別の態様において、ＤＰは、本明細書におけるＤＰに関連する任意の値の間かつこれらを含む範囲内であってよい。
【００５３】
例えば、ＤＰは、≧０．２５％ＨＢＡおよび≦５．０％ＨＢＡ、例えば、≧０．２５％ＨＢＡおよび≦４．５％ＨＢＡ、≧０．２５％ＨＢＡおよび≦４．０％ＨＢＡ、≧０．２５％ＨＢＡおよび≦３．５％ＨＢＡ、≧０．２５％ＨＢＡおよび≦３．０％ＨＢＡ、≧０．２５％ＨＢＡおよび≦２．５％ＨＢＡ、または≧０．２５％ＨＢＡおよび≦２．０％ＨＢＡであってよい。ＤＰは、≧０．５％ＨＢＡおよび≦５．０％ＨＢＡ、例えば、≧０．５％ＨＢＡおよび≦４．５％ＨＢＡ、≧０．５％ＨＢＡおよび≦４．０％ＨＢＡ、≧０．５％ＨＢＡおよび≦３．５％ＨＢＡ、≧０．５％ＨＢＡおよび≦３．０％ＨＢＡ、≧０．５％ＨＢＡおよび≦２．５％ＨＢＡ、または≧０．５％ＨＢＡおよび≦２．０％ＨＢＡであってよい。ＤＰは、≧０．７５％ＨＢＡおよび≦５．０％ＨＢＡ、例えば、≧０．７５％ＨＢＡおよび≦４．５％ＨＢＡ、≧０．７５％ＨＢＡおよび≦４．０％ＨＢＡ、≧０．７５％ＨＢＡおよび≦３．５％ＨＢＡ、≧０．７５％ＨＢＡおよび≦３．０％ＨＢＡ、≧０．７５％ＨＢＡおよび≦２．５％ＨＢＡ、または≧０．７５％ＨＢＡおよび≦２．０％ＨＢＡであってよい。ＤＰは、≧１．０％ＨＢＡおよび≦５．０％ＨＢＡ、例えば、≧１．０％ＨＢＡおよび≦４．５％ＨＢＡ、≧１．０％ＨＢＡおよび≦４．０％ＨＢＡ、≧１．０％ＨＢＡおよび≦３．５％ＨＢＡ、≧１．０％ＨＢＡおよび≦３．０％ＨＢＡ、≧１．０％ＨＢＡおよび≦２．５％ＨＢＡ、または≧０．２５％ＨＢＡおよび≦２．０％ＨＢＡであってよい。
【００５４】
特定の態様において、起伏８０２は、ボタンがバックアップパッドと係合しているとき、ボタンにおける下板８００から延在しているハブに設置された少なくとも１つの研磨物品にひだを付与するように構成されている。
【００５５】
図９は、別の例示的な研磨物品９００を示す。図示のように、研磨物品９００は、研磨物品９００の中心またはその付近に穴９０４を有して形成された本体９０２を含む。穴９０４は、複数のフィンを有して形成されているハブ、例えば、図６および図７に示すハブの上に嵌合するようなサイズおよび形状にされていてよい。そのため、穴９０４は、中心開口部９０６を、複数の分岐９０８がこれから外側に放射状に延在して、含むことができる。穴９０４は、フィンの数に応じて、例えば、３つの分岐、４つの分岐、５つの分岐、６つの分岐、７つの分岐、８つの分岐を含むことができる。
【００５６】
図１０は、さらに別の例示的な研磨物品１０００を示す。図９に示すように、研磨物品１０００の本体１００２から物体を取り除いてフィンを嵌通させる通路を形成する代わりに、研磨物品１０００の本体１００２が、フィンの数に相当する複数のスリット１００４を有して切断されてよい。したがって、フィンがスリットを通して嵌合されるとき、研磨物品１０００の物体は、フィンの周囲に広がってフィンを収容することができる。代替的には、隣接するスリット１００４間に作り出されたフラップ１００６は、フィンを有するボタンが研磨物品１０００を通して挿入される（例えば、図１０が示す頁内）のと同じ方向に中心軸に沿って屈曲することができる。
【００５７】
本明細書に記載の構成によると、バックアップパッドに研磨物品を取り付けるためのボタンは、研磨物品をバックアップパッドに迅速に取り付けるための比較的使い易い手段を提供する。さらに、研磨物品は、取り付けが容易であるほど、容易に取り外すことができる。ボタンは、ボタンおよび研磨ツールの２未満の回転によって係合ポストをバックアップパッドに係合可能にするねじリードを有する係合ポストを含む。研磨物品（例えば、不織布研磨物品）は、使用の際に研磨物品において実質的なグリップ力を付与するために、ボタンとバックアップパッドとの間で圧縮されてよい。バックアップパッドは、回転しているツールホルダ、例えば、ドリルチャックと係合されてよい。
【００５８】
ボタンは、バックアップパッドから係脱され、研磨物品から取り除かれ、新しい研磨物品に設置され、バックアップパッドと再係合されて、さらに用いられてよい。代替的には、ボタンは、研磨物品から取り除かれてよく、研磨物品は、ひっくり返されてよく、ボタンは、研磨物品に再設置されてよく、ボタンは、バックアップパッドと再係合されて、研磨物品がさらに用いられてよい。このため、研磨物品は、接着されたまたは固定されたボタンを有する研磨物品とは違って、先に用いられていない側が用いられてよく、完全な使用が可能である。
【００５９】
ボタンのハブは、捻れを有して形成されていてよく、使用の際、該捻れによって、上に設置されている研磨物品を下板に移動させ、研磨物品におけるグリップ力をさらに増加させることができる。同じまたは異なる研磨特性を有する複数の研磨物品が、使用者に望ましい任意の積層順序で単一のハブに設置されていてよい。研磨物品は、使用後、さらなる使用のために任意の他の順序で再積層されてよい。ボタンの下板は、起伏を有して形成されていてよく、かかる起伏は、ボタンに配置された研磨物品の作業面にひだを付与することができる。
【００６０】
ボタンは、フィンを有して形成されてよく、研磨物品は、いずれの研磨物品も取り除くことなく研磨物品の切断のみを行う比較的簡単かつ有用な切断操作でフィンの数に相当するスリットを有して形成されていてよい。
【００６１】
一般的な記載または例において上記されている動作は、提供される場合、その全てが必要とされるわけではないこと、特定の動作の一部が必要でなくてよいこと、および記載の動作に加えて１つ以上のさらなる動作が実施され得ることに注意されたい。さらにまた、動作が列挙されている順序は、必ずしも、これらが実施される順序ではない。
【００６２】
明確のために別個の実施形態の文脈において本明細書に記載されているある一定の特徴は、単一の実施形態において組み合わせて提供されてもよい。逆に、簡潔のために単一の実施形態の文脈において記載されている種々の特徴は、別個にまたは任意の部分組み合わせにおいて提供されてもよい。さらに、範囲内に記されている値への言及では、該範囲内におけるありとあらゆる値が含まれている。
【００６３】
具体的な実施形態に関して利益、利点および課題の解決手段を以上に記載している。しかし、任意の利益、利点もしくは解決手段を生じさせ得る、またはより顕著にし得る利益、利点、課題の解決手段および任意の特徴が、特許請求の範囲のいずれかまたは全ての重要な、必要なまたは必須の特徴であると解釈されてはならない。
【００６４】
本明細書に記載されている詳細および実施形態の例示は、種々の実施形態の構造の全体的な理解を提供することを意図している。該詳細および例示は、本明細書に記載されている構造または方法を用いる装置およびシステムの要素および特徴の全てを包括的かつ総合的に記載する働きをすることを意図していない。別個の実施形態は、単一の実施形態において組み合わされて提供されてもよく、逆に、簡潔のために単一の実施形態の文脈において記載されている種々の特徴が、別個にまたは任意の部分組み合わせにおいて提供されてもよい。さらに、範囲内に記されている値については、該範囲内におけるありとあらゆる値を含んでいる。多くの他の実施形態は、本明細書の読解後にのみ当業者に明らかになり得る。他の実施形態は、本開示から用いられて誘導されてよく、これにより、本開示の範囲を逸脱することなく構造的置換、論理的置換、または別の変更がなされ得る。
【００６５】
したがって、本開示は、制限的であるよりもむしろ例示的であるとみなされるべきである。
【図１】
0006006427.tif 000002
【図２】
0006006427.tif 000003
【図３】
0006006427.tif 000004
【図４】
0006006427.tif 000005
【図５】
0006006427.tif 000006
【図６】
0006006427.tif 000007
【図７】
0006006427.tif 000008
【図８】
0006006427.tif 000009
【図９】
0006006427.tif 000010
【図１０】
0006006427.tif 000011